(57)【特許請求の範囲】
【請求項１】
回転軸に羽根車を取り付けたファンモータを保持するファンモータ保持部と、
前記ファンモータを覆うカバーとを備え、
前記ファンモータ保持部の前記カバーに覆われる部分に錘子を取り付ける錘子取付部が複数設けられ、前記カバーは前記錘子を押し止めて当該錘子が前記錘子取付部から脱落することを防止する
ことを特徴とするファンの保持構造。
【請求項２】
前記錘子取付部は、前記錘子を複数の方向に向けて取り付け可能とされている
ことを特徴とする請求項１に記載のファンの保持構造。
【請求項３】
前記錘子取付部は、前記ファンモータの周囲に格子形状に形成され、前記錘子は当該格子の複数の穴にそれぞれ取り付け可能とされている
ことを特徴とする請求項１に記載のファンの保持構造。
【請求項４】
前記ファンモータ保持部は、冷蔵庫に設けられている
ことを特徴とする請求項１から３のいずれか１項に記載のファンの保持構造。
【請求項５】
キャビネットに設けられて、回転軸に羽根車を取り付けたファンモータを保持するファンモータ保持部と、
前記ファンモータを覆うカバーとを備え、
前記ファンモータ保持部の前記カバーに覆われる部分に錘子を取り付ける錘子取付部が複数設けられ、前記カバーは前記錘子を押し止めて当該錘子が前記錘子取付部から脱落することを防止する
ことを特徴とする冷蔵庫。
【発明の詳細な説明】
【０００１】
【発明の属する技術分野】
この発明は、ファンの保持構造に関し、さらに詳しくは、冷却器の冷気を冷蔵庫内に送る等の機能を有するファンを保持するもので、共振回避の調整に手間と時間がかからず、設計の自由度が大きく且つ小形であっても成形しやすいファンの保持構造に関する。
【０００２】
【従来の技術】
図１５は、従来の送風用ファンの保持構造を示す斜視図である。同図では、送風用ファン９００を冷蔵庫に適用した例を示している。ファンモータ１は、ファンモータ保持部２に収容されている。ファンモータ保持部２は、樹脂製であり２本のステー３を介して、たとえば冷蔵庫のキャビネット４に固定されている。ファンモータ１とファンモータ保持部２との間には、防振ゴムなどからなる防振部材７が介在している。また、ファンモータ収容部２には、ファンモータ固定カバー８が取り付けられている。ファンモータ固定用カバー８とファンモータ１との間にも、前記同様に防振部材９が介在している。符号１０は、羽根車である。
【０００３】
ファンモータ１を駆動するとファンモータ１が加振源になり、この振動とファンモータ保持部２の固有値が一致したときに共振が発生する。通常、この共振を回避するため、ステー３の太さを変更したり、リブを追加するようにして固定値をずらすようにしている。
【０００４】
また、共振回避手段を有するファンとして、従来から実開昭６１−１６２５９６号公報に記載の渦巻式ポンプの羽根車が知られている。この羽根車は、羽根自体に複数の穴を設け、この穴に錘を挿入固着することで、残留アンバランスを修正するようにしている。錘を挿入することにより羽根車の固有値がずれるから、共振の発生を防止することができる。
【０００５】
【発明が解決しようとする課題】
しかしながら、上記従来の送風用ファンの保持構造では、固有値をずらすためにステー３の太さを変更したり、リブを追加するようにしているため、ファンモータ保持部２の金型を改造しなければならない。このため、改造のために手間や時間がかかるという問題点があった。
【０００６】
また、上記従来の渦巻きポンプの羽根車では、羽根に直接穴を穿設し、この部分に錘を挿入固着するようにしているが、錘の形状が羽根の幅などにより拘束されるという問題点があった。さらに、複数の穴を羽根車に設けた構造であるため、小形の羽根車を成形しにくいという問題点があった。
【０００７】
この発明は、上記に鑑みてなされたものであって、共振を回避するための調整に手間と時間がかからず、設計の自由度が大きく小形であっても成形しやすいファンの保持構造を得ることを目的とする。
【０００８】
【課題を解決するための手段】
上述の目的を達成するために、この発明によるファンの保持構造は、回転軸に羽根車を取り付けたファンモータを保持するファンモータ保持部と、このファンモータ保持部に複数設けられ、適宜錘子を取り付ける錘子取付部と、を備えたものである。
【０００９】
ファンモータを駆動すると、このファンモータが加振源となりファンモータ保持部に振動が伝わる。この振動がファンモータ保持部の固有値と一致するとファンモータ保持部が共振を起こす。このため、ファンの通常運転時に共振しないようにファンモータ保持部の固有値をずらす必要がある。この手法として、ファンモータ保持部側に錘子取付部を設け、この錘子取付部に適宜錘子を取り付けることにより、ファンモータ保持部の固有値をずらして共振を防止する。錘子取付部の形状は、具体的には実施の形態において開示した通りであるが、必ずしもこれらに限られるものではない。
【００１０】
つぎの発明によるファンの保持構造は、上記ファンの保持構造において、さらに、前記錘子取付部を、ファンモータ保持部に対して異なる方向に錘子を取付可能にしたものである。
【００１１】
錘子の取付方向を変更可能にすることで、さらに、固定値の調整パターンを増やすことができる。たとえば、平板形状の錘子をファンモータの径方向に取り付けたり、これと直交する方向に取り付けることで固定値を細かく調整できる。
【００１２】
つぎの発明によるファンの保持構造は、上記ファンの保持構造において、さらに、前記錘子取付部を前記ファンモータ保持部の略全面に設けたものである。
【００１３】
ファンモータ保持部の略全面に錘子取付部を設けることにより、錘子をファンモータ保持部のどの位置にも取付可能になる。このため、ファンモータ保持部の固有値の調整を細かく行うことができる。
【００１４】
【発明の実施の形態】
以下、この発明にかかるファンの保持構造につき、図面を参照しつつ詳細に説明する。なお、この実施の形態によりこの発明が限定されるものではない。
【００１５】
実施の形態１．
図１は、この発明の実施の形態１にかかるファンの保持構造を示す斜視図である。送風用ファン１００のファンモータ１は、ファンモータ保持部２に収容されている。ファンモータ保持部２は、樹脂製であり２本のステー３を介してキャビネット４に固定されている。ファンモータ保持部２の一部周縁２ａには、錘子５を取り付ける錘子取付穴６が複数連設してある。
【００１６】
錘子５は、金属製または樹脂製の棒状体である。ファンモータ保持部２とファンモータ１との間には、ゴムなどの防振部材７が介在している。また、ファンモータ保持部２には、ファンモータ固定カバー８が取り付けられる。ファンモータ固定用カバー８とファンモータ１との間にも、前記同様の防振部材９が介在している。ファンモータ１の回転軸には、羽根車１０が取り付けられている。
【００１７】
ファンモータ１を駆動すると、ファンモータ１の振動がファンモータ保持部２の固有値と一致して共振が発生する。このため、錘子取付穴６のいずれかに錘子５を挿入固定することで、ファンモータ保持部２の固有値をずらすようにする。すなわち、ファンモータ保持部２の固有振動数ｆは、
ｆ＝（１／２π）・（√ｋ／√ｍ）
（ｋ＝ばね定数、ｍ＝質量）
で表わされるため、錘子取付穴６に錘子５を取り付けてファンモータ保持部２の質量ｍを変更することで共振点をズラすことができる。錘子５は、調整が終了したら外れないように接着する。また、錘子５と錘子取付穴６とをネジ締結構造にしてもよい。
【００１８】
この送風用ファン１００は、たとえば冷蔵庫の冷気送風用のファンや、圧縮機の温度上昇を抑えるために圧縮機外郭部に送風するファンなどに用いることができる。この送風用ファン１００は、錘子取付穴６に錘子５を取り付けてファンモータ保持部２の固定値をずらすようにしたので、ファンモータ保持部２を成形する金型を改造することなく、共振を防止することができる。また、ファンモータ１の羽根車１０ではなく、ファンモータ保持部２に錘子取付部６を設けたので、羽根車１０のサイズに拘束されることなく錘子５を取り付けることが可能になる。また、羽根車１０に錘子取付穴６を設けないので、構造が簡単になり成形しやすくなる。
【００１９】
実施の形態２．
図２は、この発明の実施の形態２にかかる送風用ファンを示す断面図である。この送風用ファン２００のファンモータ２０１は、冷蔵庫のキャビネット２０２に形成したファンモータ保持部２０３に収容されている。ファンモータ保持部２０３は、２本のステー２０４を介してキャビネット２０１と繋がっている（図１参照）。ファンモータ２０１とファンモータ保持部２０３との間には、ゴム等の防振部材２０４が介在している。
【００２０】
ファンモータ２０１の回転軸２０１ａはファンモータ保持部２０３から反対側に連通しており、回転軸２０１ａにはファン２０５が取り付けられている。ファンモータ保持部２０３には、ファンモータ固定カバー２０６が取り付けられている。ファンモータ固定カバー２０６とファンモータ２０１との間には、防振部材２０７が設けられている。ファンモータ保持部２０３の下方には、冷却器２０８が配置されている。ファンモータ保持部２０３の下部２０３ａは開放されているから、冷却器２０８の冷気を冷蔵庫内に送ることができる（図中矢印Ｘ）。
【００２１】
冷気送風の他、たとえば圧縮器（図示省略）の冷却に用いるときは、このファンモータ保持部２０３を圧縮器の近傍に設け、当該圧縮器に送風するようにする。また、図３は、このファンの保持構造２００ａの変形例であり、このようにファンモータ保持部２０３を逆に設けてもよい。この場合、冷蔵庫の内側からファンモータ固定カバー２０６を取り付けるようにする。
【００２２】
その他の構成は、上記図２の保持構造と同様であるから説明を省略する。このファンモータ２０１を駆動することにより当該ファンモータ２０１が加振源となり、この振動がファンモータ保持部２０３の固有値と一致したときに共振現象を引き起こす。このための対策として、ファンモータ保持部２０３の外側周囲に円筒形状の錘子取付部２０９を複数設ける。図４に、図２のＦ視図（ファンモータ固定カバー２０６を除く）を示す。この錘子取付部２０９には、図５に示すように、円柱形状の錘子２１０を差し込んで固定することができる。これにより共振点を調整する。
【００２３】
錘子２１０は、共振点の調整にあたりどの錘子取付部２０９に固定してもよいし、複数個用いることもできる。錘子２１０は、ファンモータ保持部２０３と同様に樹脂製の射出成形品であるが、金属射出成形法などによって金属製にすることもできる。この錘子の位置と個数および材料の組み合わせにより、複数の調整パターンを得ることができる。また、ファンモータ固定カバー２０６は、錘子取付部２０９を覆うようになっている。ファンモータ固定カバー２０９の内側には、錘子取付部２０９に対応した押え用突起２１１が形成されている。
【００２４】
図６に示すように、錘子２１０は、ファンモータ固定カバー２０６をファンモータ保持部２０３に取り付けた際、前記押え用突起２１１にて固定される。また、錘子取付部２０９と錘子２１０とをネジ締結構造にして当該錘子２１０を固定するようにしてもよい。この場合、ファンモータ固定カバー２０６に押え用突起２１１を形成する必要はない。図３の変形例の場合も、ファンモータ保持部２０３の内側に錘子取付部２０９を設ける等の上記同様の構造により共振点を調整することが可能になる。
【００２５】
実施の形態３．
図７は、この発明の実施の形態３にかかるファンの保持構造を示す平面図である。この実施の形態３にかかるファンの保持構造は、上記送風用ファンの錘子取付部３０９を突起形状にした点に特徴がある。錘子３１０は、錘子取付部３０９に嵌合するためドーナッツ形状になる。共振点を調整する際は、図８に示すように、突起形状の錘子取付部３０９に錘子３１０をはめ込んで固定する。
【００２６】
また、錘子３０９の厚さや径のサイズおよび材料などにより、錘子３０９の重量を設定できる。さらに、調整に用いる錘子３１０の位置と個数の組み合わせも含め、複数の調整パターンを得ることができる。錘子３１０と錘子取付部３０９とは、ファンモータ固定カバー２０６の押え用突起２１１により固定されることになるが、上記同様に錘子３１０と錘子取付部３０９とをネジ締結構造にして固定するようにしてもよい。図３の変形例の場合も同様の構造により共振点を調整することが可能になる。
【００２７】
実施の形態４．
図９は、この発明の実施の形態４にかかるファンの保持構造を示す平面図である。この実施の形態４にかかるファンの保持構造は、上記送風用ファンの錘子取付部４０９に平板状突起を用いた構成である。具体的には、４枚の錘子取付部４０９ａが平行に突設しており、これに対して垂直方向に１枚の錘子取付部４０９ｂが突設して一組となり、それぞれ４隅に設けられている。錘子４１０は平板形状であり、方向を変えて固定することができる（図中ａとｂ参照）。
【００２８】
錘子４１０は、錘子取付部４０９に挟まれて固定されると共にファンモータ固定カバー２０６によっても押え付けられる。図１０は、図９のＣ−Ｃ断面図である。上記同様、錘子４１０のサイズ、個数、固定位置および材料により共振点の調整パターンを複数得ることができる。特に、錘子４１０の取付方向を変更することで、さらに細かく調整が可能になる。なお、平板形状の錘子取付部４０９の配置は図９の場合に限らず、錘子４１０を挟むことが可能であればいずれの形態でも構わない。
【００２９】
実施の形態５．
図１１は、この発明の実施の形態５にかかるファンの保持構造を示す平面図である。この実施の形態５にかかるファンの保持構造は、平板形状の錘子取付部５０９を直交するように設けた構成である。また、錘子５１０は、割りピン形状であり錘子取付部５０９に挟んで固定される。図１２は、図１１のＤ−Ｄ断面図である。このように、錘子５１０を錘子取付部５０９にはめ込んで固定することにより、共振点の調整をすることができる。
【００３０】
錘子５１０は、径方向に形成した錘子取付部５０９ａ、これと直交方向に形成した錘子取付部５０９ｂのいずれにも選択的に固定することができる。この錘子５１０はファンモータ固定カバー２０６を取り付けることにより、抜けないように固定される。また、上記同様、錘子５１０のサイズ、個数、固定位置および材料により共振点の調整パターンを複数得ることができる。特に、錘子５１０の取付方向を変更することで、さらに細かく調整が可能になる。また、錘子５１０の先端内側に爪を設けて、錘子取付部５０９に固定するようにしてもよい。
【００３１】
実施の形態６．
図１３は、この発明の実施の形態６にかかるファンの保持構造を示す平面図である。このファンの保持構造は、ファンモータ保持部２０３の全面に格子形状の錘子取付部６０９を設けた構造である。ファンモータ保持部２０３は、射出成形により成形するから簡単に格子形状を作ることができる。錘子６１０は、断面が四角形であり、図１４に示すように、格子形状の対向する２面６０９ａ、６０９ｂで固定される。この錘子６１０はファンモータ固定カバー２０６を取り付けることにより、抜けないように固定される。
【００３２】
また、上記同様、錘子６１０のサイズ、個数、固定位置および材料により共振点の調整パターンを複数得ることができる。この錘子取付部６０９は、ファンモータ保持部２０３の全面に格子形状を形成し、この格子形状をした錘子取付部６０９の任意位置に錘子６１０を固定できるから、固定位置の自由度が高くなり、それだけ微妙な調整をすることができる。また、錘子６１０の形状は、錘子取付部６０９に固定できればどのような形状でも構わない。たとえば円筒形状、平板形状であってもよい。
【００３３】
【発明の効果】
以上説明したように、この発明のファンの保持構造によれば、錘子保持部側に錘子取付部を設け、この錘子取付部に錘子を適宜取り付けてファンモータ保持部の固有値をずらすようにおしたので、ファンモータ保持部を成形する金型を改造することなく、共振を防止することができる。また、ファンモータの羽根車ではなく、ファンモータ保持部に錘子取付部を設けたので、羽根車のサイズに拘束されることなく錘子を取り付けることができる。また、羽根車に錘子取付穴を設けないので、構造が簡単になり成形しやすくなる。
【００３４】
つぎの発明のファンの保持構造によれば、錘子取付部を、ファンモータ保持部に対して異なる方向に錘子を取付可能としたので、固定値の調整パターンを細かく設定できる。
【００３５】
つぎの発明のファンの保持構造によれば、錘子の取付範囲が広がるから、固有値の調整パターンを細かくすることができる。
【図面の簡単な説明】
【図１】  この発明の実施の形態１にかかるファンの保持構造を示す斜視図である。
【図２】  この発明の実施の形態２にかかる送風用ファンを示す断面図である。
【図３】  図２に示したファンの保持構造の変形例を示す断面図である。
【図４】  図２のＦ視図である。
【図５】  図４のＡ−Ａ断面図である。
【図６】  錘子の固定方法を示す説明図である。
【図７】  この発明の実施の形態３にかかるファンの保持構造を示す平面図である。
【図８】  図７のＢ−Ｂ断面図である。
【図９】  この発明の実施の形態４にかかるファンの保持構造を示す平面図である。
【図１０】  図９のＣ−Ｃ断面図である。
【図１１】  この発明の実施の形態５にかかるファンの保持構造を示す平面図である。
【図１２】  図１１のＤ−Ｄ断面図である。
【図１３】  この発明の実施の形態６にかかるファンの保持構造を示す平面図である。
【図１４】  図１３のＥ−Ｅ断面図である。
【図１５】  従来における送風用ファンの保持構造を示す斜視図である。
【符号の説明】
１  ファンモータ、２  ファンモータ保持部、３  ステー、４  キャビネット、５  錘子、６  錘子取付穴、７  防振部材、８  ファンモータ固定カバー、９防振部材、１０  羽根車。
【図１】
0003957907.tif 000002
【図２】
0003957907.tif 000003
【図３】
0003957907.tif 000004
【図４】
0003957907.tif 000005
【図５】
0003957907.tif 000006
【図６】
0003957907.tif 000007
【図７】
0003957907.tif 000008
【図８】
0003957907.tif 000009
【図９】
0003957907.tif 000010
【図１０】
0003957907.tif 000011
【図１１】
0003957907.tif 000012
【図１２】
0003957907.tif 000013
【図１３】
0003957907.tif 000014
【図１４】
0003957907.tif 000015
【図１５】
0003957907.tif 000016